(57)【要約】【課題】従来の巻尺では、腹囲が何センチ（または何ミリ）であるかは把握することができるが、その腹囲がいったいどの程度の肥満度レベルに相当するのかが一目で分からない。【解決手段】そこで本発明では、帯体２の一側または両側に、計測基点３からの距離に対応させて、所望の腹囲の範囲に対応する腹囲対応表示４を設け、腹囲対応表示４は、腹囲レベルに対応する目盛５と、腹囲レベルに対応して目盛区間６を区切って形成した適数の腹囲レベル表示区画７と、腹囲レベル表示区画７内に表示した腹囲レベル表示マーク８とから構成される健康管理補助メジャーを提案する。【選択図】図１
2010004975.tif 000002
【特許請求の範囲】
【請求項１】
帯体の一側または両側に、計測基点からの距離に対応させて、所望の腹囲の範囲に対応する腹囲対応表示を設け、腹囲対応表示は、腹囲レベルに対応する目盛と、腹囲レベルに対応して目盛区間を区切って形成した適数の腹囲レベル表示区画と、腹囲レベル表示区画内に表示した腹囲レベル表示マークとから構成されることを特徴とする健康管理補助メジャー。
【請求項２】
帯体は巻尺の要素であることを特徴とする請求項１に記載の健康管理補助メジャー。
【請求項３】
計測基点は帯体の一端で構成したことを特徴とする請求項１に記載の健康管理補助メジャー。
【請求項４】
腹囲レベル表示区画は、腹囲レベルに対応して、色を変化させたことを特徴とする請求項１に記載の健康管理補助メジャー。
【請求項５】
腹囲レベル表示区画は、腹囲レベルに対応して、色の濃淡を変化させたことを特徴とする請求項１又は４に記載の健康管理補助メジャー。
【請求項６】
腹囲レベル表示マークは、腹囲レベルに対応して表情を変化させた顔型グラフの顔マークから構成されることを特徴とする請求項１、４又は５に記載の健康管理補助メジャー。
【請求項７】
腹囲レベル表示マークは、腹囲レベルに対応して体型を変化させた体型グラフの体型マークから構成されることを特徴とする請求項１、４又は５に記載の健康管理補助メジャー。
【請求項８】
腹囲レベル表示マークは、腹囲レベルに対応して、色を変化させたことを特徴とする請求項１、４〜７までのいずれか１項に記載の健康管理補助メジャー。
【請求項９】
腹囲レベル表示マークは、腹囲レベルに対応して、色の濃淡を変化させたことを特徴とする請求項１、４〜７までのいずれか１項に記載の健康管理補助メジャー。
【請求項１０】
帯体の表裏の一方側に男性用の腹囲対応表示を設けると共に、他方側に女性用の腹囲対応表示を設けたことを特徴とする請求項１〜９までのいずれか１項に記載の健康管理補助メジャー。
【発明の詳細な説明】
【技術分野】
【０００１】
本発明は、腹囲（へそ周りサイズ）を計測するメジャーであって、肥満度レベルが直感的な表示により分かり、従って健康管理に大いに役立つ健康管理補助メジャーに関するものである。
【背景技術】
【０００２】
肥満、とりわけ内臓脂肪型肥満を防止することは、健康維持のための重要な要件であり、例えばいわゆるメタボ検診の義務化により、最近の健康診断では、この肥満度を腹囲によって判定し、男性では８５ｃｍ以上、女性は９０ｃｍ以上の人に対して、肥満状態であると警告し、肥満を抑えるよう注意を促している。
【０００３】
このように腹囲を把握する方法としては、従来より、巻尺をへそ周りに当てて行っている。例えば腹囲や胸囲を容易、確実に、しかも正確に計測できるようにした身体計測用メジャーが特許文献１に記載されている。
【特許文献１】実用新案登録第３１２７４９０号公報
【発明の開示】
【発明が解決しようとする課題】
【０００４】
従来の巻尺による腹囲そして肥満度の計測では、腹囲が何センチ（または何ミリ、何インチ）であるかは把握することができるが、その腹囲がいったいどの程度の肥満度レベルに相当するのかが一目で分からず、したがって例えば、別途、腹囲と肥満度とを対応させた換算表等を用意して、計測した腹囲をその換算表に当てはめて、肥満度レベルを把握する等を行う必要があり、面倒で、手間がかかるという問題点がある。本発明はこのような問題点を解決することを目的とするものである。
【課題を解決するための手段】
【０００５】
以上の課題を解決するために，本発明では、帯体の一側または両側に、計測基点からの距離に対応させて、所望の腹囲の範囲に対応する腹囲対応表示を設け、腹囲対応表示は、腹囲レベルに対応する目盛と、腹囲レベルに対応して目盛区間を区切って形成した適数の腹囲レベル表示区画と、腹囲レベル表示区画内に表示した腹囲レベル表示マークとから構成される健康管理補助メジャーを提案する。
【０００６】
また本発明では、上記の構成において、帯体は巻尺の要素とすることを提案する。
【０００７】
また本発明では、上記の構成において、計測基点は帯体の一端とすることを提案する。
【０００８】
また本発明では、上記の構成において、腹囲レベル表示区画は、腹囲レベルに対応して、色を変化させることを提案する。
【０００９】
また本発明では、上記の構成において、腹囲レベル表示区画は、腹囲レベルに対応して、色の濃淡を変化させることを提案する。
【００１０】
また本発明では、上記の構成において、腹囲レベル表示マークは、腹囲レベルに対応して表情を変化させた顔型グラフの顔マークから構成されることを提案する。
【００１１】
また本発明では、上記の構成において、腹囲レベル表示マークは、腹囲レベルに対応し
て体型を変化させた体型グラフの体型マークから構成されることを提案する。
【００１２】
また本発明では、上記の構成において、腹囲レベル表示マークは、腹囲レベルに対応して、色を変化させることを提案する。
【００１３】
また本発明では、上記の構成において、腹囲レベル表示マークは、腹囲レベルに対応して、色の濃淡を変化させることを提案する。
【００１４】
また本発明では、上記の構成において、帯体の表裏の一方側に男性用の腹囲対応表示を設けると共に、他方側に女性用の腹囲対応表示を設けた健康管理補助メジャーを提案する。
【発明の効果】
【００１５】
本発明の健康管理補助メジャーは、従来の巻尺と同様に、被測定者（自分もしくは他者）のへそ周りに当てて、計測基点に位置する腹囲対応表示を視認することにより、被測定者の腹囲レベルを知ることができる。
【００１６】
腹囲対応表示は、腹囲レベルに対応する目盛と、腹囲レベルに対応して目盛区間を区切って形成した適数の腹囲レベル表示区画と、腹囲レベル表示区画内に表示した腹囲レベル表示マークとから構成しているので、目盛により腹囲を数値的に知ることができると共に、腹囲レベル表示区画内に表示された腹囲レベル表示マークにより、その腹囲レベル、又は肥満度レベルがどの段階にあるかを一目で知ることができる。
【００１７】
例えば、腹囲レベル表示マークは、腹囲レベルに対応して表情を変化させた顔型グラフの顔マークから構成したり、又は腹囲レベルに対応して体型を変化させた体型グラフの体型マークから構成すれば、表情や体型により直感的に肥満度を把握することができる。
【００１８】
これらの腹囲レベル表示マーク又はこの腹囲レベル表示マークを表している腹囲レベル表示区画自体は、腹囲レベルに対応して、色を変化させたり、又は色と共に濃淡を変化させれば、肥満度レベルがどの段階にあるかが更に直感的に一目で分かり、その直感的に感じられた安全や危険等の意識が、被測定者の健康維持に対する啓蒙となり、健康管理に大いに役立つこととなる。
【００１９】
帯体の表裏の一方側に男性用の腹囲対応表示を設けると共に、他方側に女性用の腹囲対応表示を設ければ、性別に係わらずに使用できる健康管理補助メジャーを提供することができる。
【発明を実施するための最良の形態】
【００２０】
次に、本発明を実施するための最良の形態を図１〜図５を参照して説明する。なお、図１と図２はともに平面図であり、図３〜図５は要部の拡大図である。
図に示すように、本発明の健康管理補助メジャーは１は、帯体２の一側または両側に、計測基点３からの距離に対応させて、所望の腹囲の範囲に対応する腹囲対応表示４を設け、腹囲対応表示４は、腹囲レベルに対応する目盛５と、腹囲レベルに対応して目盛区間６を区切って形成した適数の腹囲レベル表示区画７と、腹囲レベル表示区画７内に表示した腹囲レベル表示マーク８とから構成されるものである。尚、符号９は計測基点３からの距離に対応する数値を示している。また符号１０は帯体２をばねの付勢力により巻取って収納可能とし、測定時には帯体２を引き出して計測を行うことができるようにした収納容器である。後述するように、この収納容器１０は、本発明の健康管理補助メジャーを巻尺として構成した場合に必要なものであって、本発明の健康管理補助メジャーに必須な構成要素ではない。即ち、本発明の健康管理補助メジャーは、巻尺として構成しないで、帯体のみでも構成することができるものである。
【００２１】
図１は、帯体２を巻尺の要素とした実施の形態である。帯体２は通常の巻尺と同様、不使用時には、ばねを備えた巻取り機構（図示省略）により、収納容器１０内に巻取られて収納されており、これを使用する場合、帯体２の先端（計測基点３）を手で持って引出し、図１の状態にして、この帯体２を被測定者（図示省略）のへそ周りに当てて、計測基点３に位置する腹囲対応表示４を視認することにより、被測定者の腹囲レベルを知ることができる。
【００２２】
図１の実施の形態では、目盛区間６は帯体２の先端（計測基点３）から帯体２の全長にわたって設けていて、例えばこの区間を１ｃｍ刻みの目盛り５、５’を付けているので、普通の巻尺として、腹囲以外の計測にも使用できる。
【００２３】
さらに、この実施の形態の健康管理補助メジャーが対象とする腹囲レベルの範囲である、７５ｃｍから１１５ｃｍの区間においては、目盛区間６を腹囲レベルに対応させて、７５ｃｍから５ｃｍごとに区切って８個の腹囲レベル表示区画７を設けるとともに、各腹囲レベル表示区画７の境界には、７５、８０、８５・・・と１１５までの腹囲値を表示している。
【００２４】
なお、図１の腹囲対応表示４はメジャー１の帯体２の表側に設けたものであるが、裏側にも同様の腹囲対応表示４を設けても良い。また、腹囲レベル表示区画７の数は適宜であり、例えば図１の場合には、腹囲レベル表示区画７は、７５ｃｍから１１５ｃｍを５ｃｍごとに区切って、８個としているが、図２の場合には、７０ｃｍから１２０ｃｍを５ｃｍごとに区切って、１０個としている。
【００２５】
即ち、図２の実施の形態は、図１と同様、帯体２を巻尺の要素としたものであるが、この実施の形態の健康管理補助メジャーが対象とする腹囲レベルの範囲は、７０ｃｍから１２０ｃｍであり、この範囲にのみ対応させて、腹囲対応表示４を設けている。この実施の形態では、普通の巻尺としては使用できないが、腹囲の計測を非常に分かりやすく行うことができる。
【００２６】
次に、腹囲対応表示４の詳細な実施の形態を説明すると、図３に示す実施の形態では、腹囲レベルに応じた腹囲対応表示４に、腹囲レベルに対応して表情を変化させた顔型グラフの顔マークから成る腹囲レベル表示マーク８を構成し、人の表情の笑顔や泣き顔で表現しているので、たいへんわかりやすくしかも直感的に肥満度を把握することができる。なお、腹囲レベル表示マーク８は、図に示すように、腹囲レベルに対応して表情を変化させた顔型グラフの顔マークから構成する他、腹囲レベルに対応して体型を変化させた体型グラフの体型マークから構成することもでき、いずれの場合においても、これらの表情や体型により直感的に肥満度を把握することができる。
【００２７】
これらの腹囲レベル表示マーク８、又はこの腹囲レベル表示マーク８を表している腹囲レベル表示区画７自体は、腹囲レベルに対応して、色を変化させたり、又は色と共に濃淡を変化させれば、肥満度レベルがどの段階にあるかが更に直感的に一目で分かり、その直感的に感じられた安全や危険等の意識が、被測定者の健康維持に対する啓蒙となり、健康管理に大いに役立つこととなる。
【００２８】
例えば図４は腹囲レベル表示マーク８を表している腹囲レベル表示区画７自体を、腹囲レベルに対応して、色を変化させたり、又は色と共に濃淡を変化させた状態を模式的に示す図であり、また図５は腹囲レベル表示マーク８を、腹囲レベルに対応して、色を変化させたり、又は色と共に濃淡を変化させた状態を模式的に示す図である。
【００２９】
尚、以上に図示した腹囲対応表示４は男性用を対象とするもの、即ち、メタボ腹囲８５ｃｍを基準とした表示であるが、女性を対象とするものとして、メタボ腹囲９０ｃｍを基準とした腹囲対応表示４により女性用の健康管理補助メジャーを構成することができる。
【００３０】
また帯体２の表裏の一方側に男性用の腹囲対応表示４を設けると共に、他方側に女性用の腹囲対応表示４を設ければ、性別に係わらずに使用できる健康管理補助メジャーを提供することができる。この場合、男性用と女性用の区別を容易に行えるようにするために、大きな表示を付したり、または色分けをする等の手法を用いることができる。
【産業上の利用可能性】
【００３１】
以上のように、本発明の健康管理補助メジャーは、被測定者のへそ周りに当てるだけで、腹囲そして肥満度レベルが一目でわかり、しかも顔型グラフ等の腹囲レベル表示マークにより直感的に把握できるので、健康増進に大いに役立つ。
【図面の簡単な説明】
【００３２】
【図１】本発明に係る健康管理補助メジャーの実施の形態を示す平面図である。
【図２】本発明に係る健康管理補助メジャーの他の実施の形態を示す平面図である。
【図３】図１の要部の模式的拡大平面図である。
【図４】他の実施の形態の要部の模式的拡大平面図である。
【図５】更に他の実施の形態の要部の模式的拡大平面図である。
【符号の説明】
【００３３】
１                健康管理補助メジャー
２                健康管理補助メジャー１の帯体
３                計測基点
４                腹囲対応表示
５                腹囲計測用目盛
５’              目盛
６                目盛区間
７                腹囲レベル表示区画
８                腹囲レベル表示マーク
９                数値
１０              収納容器
【図１】
2010004975.tif 000003
【図２】
2010004975.tif 000004
【図３】
2010004975.tif 000005
【図４】
2010004975.tif 000006
【図５】
2010004975.tif 000007